(57)【要約】【課題】包装作業を容易に行い、かつ、十分な緩衝力を確保できる包装緩衝体を提供する。【解決手段】筐体１を緩衝すべき複数の段ボールを積層したものからなる固定緩衝部２を備えた包装緩衝体であって、固定緩衝部２に、筐体１の側面に当接するように下方へ突出した緩衝片３を備え、固定緩衝部２と緩衝片３とを一体に形成した。【選択図】　　図１
2004018074.tif 000002
【特許請求の範囲】
【請求項１】
筐体を緩衝すべき複数の段ボールを積層したものからなる固定緩衝部を備えた包装緩衝体であって、
前記固定緩衝部に、前記筐体の側面に当接するように下方へ突出した緩衝片を備え、前記固定緩衝部と前記緩衝片とを一体に形成したことを特徴とする包装緩衝体。
【請求項２】
前記固定緩衝部と前記緩衝片との間の折り曲げ部に切り込みを有するように構成したことを特徴とする請求項１に記載の包装緩衝体。
【発明の詳細な説明】
【０００１】
【発明の属する技術分野】
本発明は、電気機器やメカニカルな機器を梱包する包装緩衝体に関するものである。
【０００２】
【従来の技術】
従来、電気機器やメカニカルな機器を段ボールの積層で緩衝する包装緩衝体として、緩衝片がないものや、緩衝片があっても分離独立するものが知られている。
【０００３】
従来の包装緩衝体では、電気機器やメカニカル機器内部の破損、電気機器やメカニカル機器の筐体の変形に至るのを防ぐため、分離独立した緩衝片を追加して電気機器やメカニカル機器に対する十分な緩衝力を確保していた。
【０００４】
【発明が解決しようとする課題】
しかしながら、分離独立した緩衝片では、包装作業を容易に行なうことができず、また、緩衝片を入れ忘れるという人為的ミスを引き起こす可能性もあった。
【０００５】
本発明は、このような従来の問題を解決するものであり、包装作業を容易に行い、かつ、十分な緩衝力を確保できる包装緩衝体を提供することを目的とする。
【０００６】
【課題を解決するための手段】
上記課題を解決するため、本発明の包装緩衝体は、筐体を緩衝すべき複数の段ボールを積層したものからなる固定緩衝部を備えた包装緩衝体であって、
前記固定緩衝部に、前記筐体の側面に当接するように下方へ突出した緩衝片を備え、前記固定緩衝部と前記緩衝片とを一体に形成するように構成した。
【０００７】
この包装緩衝体では、固定緩衝部と一体となっている緩衝片が折り曲げ部を支点として回動可能となっている。したがって、筐体本体を収納すると筐体本体の側面に案内され緩衝片が折り曲げ部を支点として回動し、固定緩衝部と筐体本体の側面の間に緩衝片が１００％入り込むこととなる。即ち、この構成では緩衝片が一体となっているため、包装作業を容易に行なうことができ、緩衝片の入れ忘れを確実に防止することができる。
【０００８】
また、本発明の包装緩衝体は、前記固定緩衝部と前記緩衝片との間の折り曲げ部に切り込みを有するように構成している。
【０００９】
この構成では、緩衝片が分離独立した状態とほとんど変わらず、前記緩衝片の厚み方向で緩衝することができる。切込みがないと前記折り曲げ部の一部で前記筐体本体を受けてしまうため、緩衝片の厚み方向での緩衝が十分でない。
【００１０】
【発明の実施の形態】
以下、本発明の実施の形態について、添付図面を参照しながら詳細に説明する。
図１から図５は、本発明の一実施形態に係る包装緩衝体４を示すものであり、この包装緩衝体４は、電気機器（メカニカル機器、精密機器などでもよい）の筐体本体１の包装緩衝体として適用されており、概略構成として、基板２０と、複数枚の段ボールを積層したものからなる左右の固定緩衝部２と、緩衝片３とを備えている。
【００１１】
まず、図１により、全体構成について説明すると、筐体本体１を収納するこの包装緩衝体は、基板２０上の左右の固定緩衝部２に緩衝片３を設けたものであり、緩衝片３は折り曲げ部２ａにより回動可能な構成となっている。
【００１２】
図２は、固定緩衝部２の断面図である。この図２に示すように、折り曲げ部２ａには切込み２ｂを有しており、緩衝片３の図示しない中芯は切込み２ｂで切断されている。この切込み２ｂは、固定緩衝部２と緩衝片３とを完全に分離しているわけではないので一体となっているが、この切込み２ｂを設けることにより、固定緩衝部２と緩衝片３を分離独立させたのと同等の機能を付与することが可能となる。
【００１３】
なお、ここで、切込み２ｂを設けるのは以下のような理由からである。
即ち、図３に示すように、固定緩衝部２において、緩衝片３との境界に切込み２ｂを設けていない場合には、緩衝片３の図示しない中芯が折り曲げ部２ａでつながっているため、固定緩衝部２とは分離独立した状態とはならない。その結果、緩衝片３には、元の状態に戻ろうとするために回動力（復元力）が大きく発生し、それにより、電気機器の筐体本体１の側面１ａを主に折り曲げ部２ａの一部（例えば、先端部のみなど）で受けるため、緩衝材３の厚み方向での十分な緩衝作用を発揮することができないことになるからである。
【００１４】
図４は、本実施の形態に係る固定緩衝部２に筐体本体１を収納した状態を示す断面図である。緩衝片３は、筐体本体１の側面１ａに案内され、固定緩衝部２と筐体本体１の間に垂直に入り込む。そして、緩衝片３はその厚み方向で筐体本体１を緩衝する状態となる。
【００１５】
なお、この発明に係る包装緩衝体としては、この実施形態のような構成のもに限定されるものではなく、例えば図５に示すような構成の包装緩衝体であってもよい。即ち、この包装緩衝体は、図５に示すように、緩衝片３が複数枚（この図５では２枚であるが３枚以上でもよい）で構成されており、より多くの緩衝力を必要とする場合には、同図のように複数枚の緩衝片３を設けることが可能である。
【００１６】
さらに、この発明に係る包装緩衝体としては、図６に示すように、図１に示す固定緩衝装置４を、上下（又は左右）２個（下部固定緩衝部４ａと上部固定緩衝部４ｂ）１組として用いた組み合わせとしてもよい。図７は、その状態を示す断面図であり、下部固定緩衝部４ａと上部固定緩衝部４ｂとには、それぞれ、基板２０と、左右の固定緩衝部２との他に、折り曲げ部２ａ、切込み２ｂ、緩衝片３を有している。
【００１７】
このような構成の場合も、緩衝片３は、電気機器の筐体本体１の側面１ａに案内されて固定緩衝部２と筐体本体１との間に垂直に入り込む。そして、双方の隙間に配設された緩衝片３は、その緩衝片３の厚さ方向に緩衝力が作用するので、筐体本体１を緩衝・保護する状態となる。
【００１８】
以上のように、本実施例によれば、筐体本体１を収納した状態では、緩衝片３が１００％筐体本体１と固定緩衝部２の間に入り込む。また、切込み２ｂを設けることで緩衝片３が分離独立した状態と同等になるため、外力などが作用しても、電気機器の筐体本体１を緩衝片３の厚さ方向で緩衝・保護することができる。
【００１９】
【発明の効果】
以上説明してきたように、本発明によれば、電気機器、メカニカル機器、精密機器などの筐体本体を収納するときに緩衝片が固定緩衝部との間に入り込み、厚さ方向で十分な緩衝を行なうため、この筐体本体に外力などが作用しても、その機器内部の破損や筐体の変形などを防ぐことができる。
しかも、本発明によれば、包装・収納の際の作業性を向上できるようになり、信頼度と作業性の双方を同時に満たす包装緩衝体を提供することができるものである。
【図面の簡単な説明】
【図１】本発明の一実施例に係る電気機器の筐体本体を収納する包装緩衝体の全体を示す斜視図である。
【図２】本発明の一実施例に係る包装緩衝体における折り曲げ部に切込みを設けた状態を示す要部断面図である。
【図３】折り曲げ部に切込みを有していない構成とした場合の不都合を説明するための説明図である。
【図４】本発明の一実施例に係る包装緩衝体を用いて筐体本体を収納したときの状態を示す断面図である。
【図５】本発明の一実施例に係る包装緩衝体において、緩衝片が複数枚で構成された状態を示す断面図である。
【図６】本発明の一実施例に係る包装緩衝体を２枚１組用いて、下部固定緩衝部と上部固定緩衝部との上下で組み合わせた構成として筐体本体を収納するときの状態を示す分解斜視図である。
【図７】図６に示す上下２枚１組の下部固定緩衝部と上部固定緩衝部とで筐体本体を収納したときの状態を示す要部断面図である。
【符号の説明】
１　　筐体本体
１ａ　側面
２　　固定緩衝部
２０　基板
２ａ　折り曲げ部
２ｂ　切込み
３　　緩衝片
４　　包装緩衝体
４ａ　下部固定緩衝部
４ｂ　上部固定緩衝部
【図１】
2004018074.tif 000003
【図２】
2004018074.tif 000004
【図３】
2004018074.tif 000005
【図４】
2004018074.tif 000006
【図５】
2004018074.tif 000007
【図６】
2004018074.tif 000008
【図７】
2004018074.tif 000009